(57)【要約】      （修正有）【課題】手動で作動する回路遮断器機構から分離して、遠隔的に動作する機構を用いてオン・オフできる回路遮断器を提供する。【解決手段】回路を開閉するための可動接点アーム１２０が、スイッチレバー１７５により、回路保護用の回路遮断器機構から独立して開閉制御される。前記スイッチレバー１７５は、ソレノイド１８０または他の適切な手段により作動される。さらに複数の連動機構が構成要素間に存在して、安全機能を提供する。【選択図】図１
2014049448.tif 000002
【特許請求の範囲】
【請求項１】
第１の接点と、
前記第１の接点に対する閉位置と前記第１の接点に対する開位置の間を移動可能であり、前記閉位置においてのみ前記第１の接点と接触するように配置される第２の接点と、
始動状態と非始動状態とを有し、前記回路遮断器機構が状態変更する際に前記接点の位置を変更するように配置される回路遮断器機構と、
オン状態とオフ状態とを有し、それが状態を変更する際に前記回路遮断器機構の状態を変えないで前記接点の位置を変更するように配置されるアクチュエータと、
を具備する回路遮断器。
【請求項２】
前記回路遮断器機構が前記始動状態ならば、前記接点が前記開位置であることを特徴とする請求項１に記載の回路遮断器。
【請求項３】
前記回路遮断器機構が前記始動状態ならば、前記接点が前記閉位置へ移動できないことを特徴とする請求項２に記載の回路遮断器。
【請求項４】
前記アクチュエータが前記オフ状態ならば、前記接点が前記開位置であることを特徴とする請求項１に記載の回路遮断器。
【請求項５】
前記アクチュエータが前記オフ状態ならば、前記回路遮断器機構が前記接点を前記閉位置へ移動できないことを特徴とする請求項１に記載の回路遮断器。
【請求項６】
前記アクチュエータが、信号に応じて前記レバーの状態を変更するように配置されていることを特徴とする請求項１に記載の回路遮断器。
【請求項７】
前記回路遮断器機構が、過電流状態に応じて、前記接点を前記閉位置から前記開位置に移動するように配置されていることを特徴とする請求項１に記載の回路遮断器。
【請求項８】
前記回路遮断器機構が、手動操作に応じて、前記接点を前記閉位置から前記開位置へ移動するように配置されていることを特徴とする請求項１に記載の回路遮断器。
【請求項９】
前記アクチュエータが、レバーを用いて、前記接点を前記閉位置と前記開位置の間で移動させることを特徴とする請求項６に記載の回路遮断器。
【請求項１０】
開位置と閉位置の間で相対的に移動可能な接点と、
回路遮断器が作動される際に、前記接点の位置を変更するように配置された回路遮断器機構と、
前記回路遮断器機構作動することなしに、前記接点を開くまたは閉じるように配置されたスイッチング機構と
を具備する回路遮断器。
【請求項１１】
前記アクチュエータがソレノイドあることを特徴とする請求項１に記載の回路遮断器。
【請求項１２】
前記接点が、ばねを用いて付勢されることを特徴とする請求項１に記載の回路遮断器。
【請求項１３】
前記接点が、永久磁石を用いて付勢されることを特徴とする請求項１に記載の回路遮断器。
【請求項１４】
前記ソレノイドが、前記接点を付勢するように配置された永久磁石を具備することを特徴とする請求項１１に記載の回路遮断器。
【請求項１５】
前記永久磁石が、前記ソレノイドの電源が切断されるときに、前記接点を付勢するように配置されることを特徴とする請求項１４に記載の回路遮断器。
【請求項１６】
前記ソレノイドが、このソレノイドの電源が切断されるときに、前記接点を前記開位置へ移動するように配置された永久磁石を具備することを特徴とする請求項１４に記載の回路遮断器。
【請求項１７】
前記回路遮断器機構が脱進機を具備することを特徴とする請求項１に記載の回路遮断器。
【請求項１８】
前記回路遮断器機構がダッシュポットを具備することを特徴とする請求項１に記載の回路遮断器。
【請求項１９】
前記回路遮断器機構が前記アクチュエータとは別体であることを特徴とする請求項１に記載の回路遮断器。
【請求項２０】
第１の接点と、
閉位置と開位置とを有する可動部材と、
前記可動部材が前記閉位置の際のみに前記第１の接点と接触するように配置される、前記可動部材上の、第２の接点と、
始動状態と非始動状態とを有し、前記可動部材に接続されて、前記回路遮断器機構が状態を変更する際に前記移動可能部材を移動するように配置された回路遮断器機構と、
オン状態とオフ状態とを有し、前記可動部材に接続されて、ソレノイドが状態を変更する際に、前記回路遮断器機構の状態を変えないで、前記移動可能部材を移動するように配置されたソレノイドと、
前記ソレノイドを前記オフ状態へと付勢する永久磁石と
を具備する回路遮断器。
【発明の詳細な説明】
【技術分野】
【０００１】
本発明は、一般的には、遠隔操作回路遮断器に関し、また、回路遮断器ハンドル機構とは別個のソレノイド機構を用いて操作できる接点アームを用いて遠隔操作される回路遮断器に関する。
【背景技術】
【０００２】
回路遮断器は、過負荷または短絡回路に起因する破損から電気回路を保護するために使用できる装置である。もし、回路遮断器により保護された回路に電力サージが生じると、例えば、遮断器が始動するであろう。これは、「オン」位置にあった遮断器の「オフ」位置への反転を引き起こすであろうし、電力がその遮断器から導かれるのを遮断するであろう。このように始動することで、回路遮断器は、過負荷回路時に、火災が起きることを防げるし、電気を引き出している装置または被保護回路に接続されたその他の装置の破壊を防ぐことができる。
【０００３】
標準回路遮断器は、線路と負荷を有する。一般的に、線路は、ほとんどの場合、電力会社から流入電気を受け取る。これは、回路遮断器への入力と称される場合がある。負荷は、出力と称される場合があり、回路遮断器から外へ給電し、回路遮断器から給電される電気部品に接続する。回路遮断器は、回路遮断器に直接接続される個別の部品、例えば、空気清浄機を保護するだろうし、または、回路遮断器は、電気コンセントで終端する電力回路に接続された複数部品、例えば、家庭用器具を保護するだろう。
【０００４】
回路遮断器は、ヒューズの代替物として使用できる。一度作動して、その後、入れ替えなければならないヒューズと違って、回路遮断器は、通常動作を復旧させるために、（手動または自動のいずれかで）リセットすることができる。エリアへの電力が遮断した際に、操作者は、どの遮断器が「オフ」位置に始動したかを理解するために、電気パネルを検査することができる。この遮断器は、それから、「オン」位置へ反転することができ、電力が再び復旧するであろう。
【０００５】
一般に、回路遮断器は、ハウジングの内部に置かれた２つの接点を有する。一般的に、この第１の接点は固定で、線路または負荷のどちらかに接続されるだろう。一般的に、回路遮断器が「オフ」または始動位置の際に、第１と第２の接点間にギャップが存在し、線路負荷から切断されるように、この第２の接点は、第１の接点に対して可動である。
【０００６】
回路遮断器は、不定期に動作するように、通常設計される。典型的な応用においては、回路遮断器は、電力スパイクまたは他の電気的じょう乱によって始動されるときのみに、動作されるであろう。電力スパイクは、典型的な回路の通常動作期間中は、通常は発生しない。
【０００７】
いくつかの応用においては、しかしながら、回路遮断器をより頻繁に作動させることが望ましい。例えば、電気を節約する利益のために、ビルデイングの全フロアへの電力分配を、１つの位置から制御することが有益だろう。これは、全フロア回路用の遮断器を手動で始動することにより成され得る。遠隔制御、タイマー、動きセンサーなどを用いて、遠隔的に回路遮断器を手動で始動することが、また、望ましいだろう。
【０００８】
その他の応用では、維持の目的ために、回路遮断器を遠隔的に作動させることが望ましい。例えば、操作者は、検査でき、または、サービスできるように、被保護回路の電源を切断するために、回路遮断器を手動で始動するだろう。しかしながら、いくかの回路において、遮断器を作動させることは、操作者にとって安全上の問題を起こす危険なアークを産出しかねない。さらに他の回路において、回路遮断器は、閉じ込められるか、または、危険な環境に置かれるだろう。これらの状況において、この回路遮断器を遠隔的に作動させることが、また、有益である。
【０００９】
回路遮断器を遠隔的に制御する既知のアプローチは、回路遮断器に、回路遮断器機構を意図的に始動できて、リセットできる機構を組み入れることを含んでいる。そのような機構の例は、始動機構を作動させるために用いられるソレノイドまたはモーターであり、そして、始動機構を再武装することで回路遮断器をリセットするために用いられるソレノイドまたはモータである。
【００１０】
しかしながら、このようにパワースイッチまたは遠隔制御として回路遮断器を用いることは、それが、そうでなければ、典型的な回路保護応用において経験するであろうよりもはるかに多数の動作サイクルを遮断器に受けさせる。これは、回路遮断器の受け入れがたいほど早期な故障をもたらし得る。典型的な回路遮断器機構は、故障前にたった２０，０００〜３０，０００サイクルだけ耐え抜くように設計される。
【００１１】
そのような回路遮断器が故障前に耐えることができるサイクル数を増大させるために、始動機構や、任意のばね、連結、脱進機、シアー、ダッシュポット、バイメタル熱部品、または、機構の一部である他の部品を含む回路遮断器の全ての部品は、そうでなければ、要求されるであろうよりも頑丈な方法にて設計されなければならない。これは、回路遮断器を生産するコストを著しく増大させる。
【００１２】
したがって、望まれることは、これらの制限に対処した、遠隔的または手動で作動できる回路遮断器である。
【発明の開示】
【００１３】
したがって、本発明の一つの目的は、遠隔的にオン・オフできる回路遮断器を提供することである。
【００１４】
本発明の他の目的は、回路遮断器機構から分離している機構を用いてオン・オフできる回路遮断器を提供することである。
【００１５】
これらおよびその他の目的は、第１の接点と、前記第１の接点に対する閉位置と前記第１の接点に対する開位置の間を移動可能であり、前記閉位置においてのみ前記第１の接点と接触するように配置される第２の接点と、始動状態と非始動状態とを有し、前記回路遮断器機構が状態変更する際に前記接点の位置を変更するように配置される回路遮断器機構と、オン状態とオフ状態とを有し、それが状態を変更する際に前記回路遮断器機構の状態を変えないで前記接点の位置を変更するように配置されるアクチュエータとを有する回路遮断器を提供することによって達成される。
【００１６】
いくつかの実施例において、前記回路遮断器機構が前記始動状態ならば、前記接点が前記開位置である。
【００１７】
いくつかの実施例において、前記回路遮断器機構が前記始動状態ならば、前記接点が閉位置へ移動できない。
【００１８】
いくつかの実施例において、前記アクチュエータが前記オフ状態ならば、前記接点が前記開位置である。
【００１９】
いくつかの実施例において、前記アクチュエータが前記オフ状態ならば、前記回路遮断器機構が前記接点を前記閉位置へ移動できない。
【００２０】
いくつかの実施例において、前記アクチュエータが、信号に応じて前記レバーの状態を変更するように配置されている。
【００２１】
いくつかの実施例において、前記回路遮断器機構が、過電流状態に応じて、前記接点を前記閉位置から前記開位置に移動するように配置されている。
【００２２】
いくつかの実施例において、前記回路遮断器機構が、手動操作に応じて、前記接点を前記閉位置から前記開位置へ移動するように配置されている。
【００２３】
いくつかの実施例において、前記アクチュエータが、レバーを用いて、前記接点を前記閉位置と前記開位置の間で移動させる。
【００２４】
いくつかの実施例において、前記アクチュエータがソレノイドある。
【００２５】
いくつかの実施例において、前記接点が、ばねを用いて付勢される。
【００２６】
いくつかの実施例において、前記接点が、永久磁石を用いて付勢される。
【００２７】
いくつかの実施例において、前記ソレノイドが、前記接点を付勢するように配置された永久磁石を具備する。
【００２８】
いくつかの実施例において、前記永久磁石が、前記ソレノイドの電源が切断されるときに、前記接点を付勢するように配置される。
【００２９】
いくつかの実施例において、前記ソレノイドが、このソレノイドの電源が切断されるときに、前記接点を前記開位置へ移動するように配置された永久磁石を具備する。
【００３０】
いくつかの実施例において、前記回路遮断器機構が脱進機を具備する。
【００３１】
いくつかの実施例において、前記回路遮断器機構がダッシュポットを具備する。
【００３２】
いくつかの実施例において、前記回路遮断器機構が前記アクチュエータとは別体である。
【００３３】
本発明のその他の目的は、開位置と閉位置の間で相対的に移動可能な接点と、回路遮断器が作動される際に、前記接点の位置を変更するように配置された回路遮断器機構と、前記回路遮断器機構作動することなしに、前記接点を開くまたは閉じるように配置されたスイッチング機構と、を有する回路遮断器を提供することによって達成される。
【００３４】
本発明のさらなる目的は、第１の接点と、閉位置と開位置とを有する可動部材と、前記可動部材が前記閉位置の際のみに前記第１の接点と接触するように配置される、前記可動部材上の、第２の接点と、始動状態と非始動状態とを有し、前記可動部材に接続されて、前記回路遮断器機構が状態を変更する際に前記移動可能部材を移動するように配置された回路遮断器機構と、オン状態とオフ状態とを有し、前記可動部材に接続されて、ソレノイドが状態を変更する際に、前記回路遮断器機構の状態を変えないで、前記移動可能部材を移動するように配置されたソレノイドと、前記ソレノイドを前記オフ状態へと付勢する永久磁石と、を有する回路遮断器を提供することによって達成される。
【００３５】
本発明のさらに他の目的およびその特別な特徴と利点は、以下の図面と付随する詳細な説明の考慮からより明らかになるであろう。
【発明を実施するための最良の形態】
【００３６】
図１は、本発明の態様に従って、実施例の回路遮断器１００を図解している。
【００３７】
回路遮断器１００は、線路端子１１０に接続された固定接点１０５を備える。線路端子は、いくつかの応用においては電力会社によって供給される、発電機（図示せず）などの電源、から電気を受け取る。
【００３８】
可動接点１１５は、第１のピボット１３５および第２のピボット１７０でピボットすることによって閉位置１２５および開位置２００、３００（図２、図３）の間を移動できる可動接点アーム１２０上に配置される。
【００３９】
可動接点アーム１２０は、連結１４５により、始動機構１４０に接続される。示されているように、始動機構１４０は非始動状態にある。連結は、始動機構１４０が始動される際に可動接点アームを閉位置から開位置に移動させるために付勢されるばね機構（図示せず）を有するだろう。
【００４０】
故障検出器１５０が、可動端子に接続されており、過剰電流などの故障状態が生じる際に、始動機構１４０を始動させるように構成される。いくつかの応用において、故障検出器は、回路にインライン配置されるソレノイドである。もし、ソレノイドを介する電流が一定のレベルを越えると、ソレノイドは始動機構を作動させるために十分な電磁界を発生する。ソレノイドは、また、電流が一定のレベルを越える際に始動機構を作動させるプランジャ、または、他のアーマチュアを必要に応じて組み込むだろう。
【００４１】
特定の条件の発生時に始動機構を始動するその他の故障検出方法が、また、採用されもよいことが理解される。
【００４２】
可動接点１１５は、故障検出器１５０およびコネクター１１６を介して負荷端子１９９に接続される。可動接点１１５が閉位置にあるときは、図１に示すように、固定接点１０５と移動可能接点１１５は互いに接触しており、接点１０５、１１５を介して、線路端子１１０から負荷端子１９９に電気が流れることができる。
【００４３】
ハンドル１６０が、また、始動機構１４０をリセットするために、または、始動機構１４０を手動で始動するために備えられる。
【００４４】
移動可能接点アーム１２０は、移動可能接点アーム１２０が第２のピボットポイント１７０の回りをスライドおよび/またはピボットすることを可能にするガイドチャンネル１６５を有する。移動可能接点アーム１２０は、また、レバー１７５を有する。レバーは、可動接点アーム１２０と一体で形成されてもよいし、あるいは、可動接点アーム１２０に取り付けられた別個の片でもよい。
【００４５】
アクチュエータソレノイド１８０は、レバー１７５に接続されるプランジャ１８５を有する。レバー１７５、可動接点アーム１２０およびガイドチャンネル１６５は、始動機構１４０が非始動状態にあって、示されているように、アクチュエータソレノイド１８０が作動される際に、プランジャ１８５が矢印１９０の方向に移動して、ピボットポイント１３５の回りに可動接点アーム１２０をピボットし、第２のピボットポイント１７０に沿ってガイドチャンネル１６５をスライドすることにより、閉位置１２５から第２の開位置（図２の２００）に可動接点アーム１２０を移動させる。
【００４６】
接点１０５、１１５をこのように開閉するために、アクチュエータソレノイド１８０のようなアクチュエータを組み入れることは、始動機構１４０とその関連部品の強靭性を増大させることに関連した追加のコストを招くことなく、回路遮断器の手動操作サイクル数を増大させることを可能にする利点を得ることができる、これは、接点がアクチュエータソレノイドを経由して開く際にそれらが作動されないからである。このようにして、動作寿命は、典型的な応用において、約２００，０００サイクルに増大させることができる。
【００４７】
アクチュエータソレノイド１８０は、遠隔信号を用いて作動されるだろう。アクチュエータソレノイド１８０は、永久磁石１９２を組み入れているバイスティブル、または、ラッチィングソレノイドであろう。この場合、プランジャ１８５は、アクチュエータソレノイド１８０が正しい極性でエネルギー供給されない限りその位置を保持するであろう。
【００４８】
極性スイッチ１９４は、コネクター１９６を用いてアクチュエータソレノイド１８０に接続されるだろう。極性スイッチ１９４は、プランジャ１８５を伸ばす、または、引っ込めるためにアクチュエータソレノイド１８０にいずれかの極性のパルス信号を提供できる。信号が無いときは、プランジャ１８５はソレノイド１８０により同じ場所に保持される。
【００４９】
永久磁石１９２は、また、アクチュエータソレノイド１８０の電源が切断されるとき、プランジャ１８５が矢印１９０の方向に引かれて、閉位置１２５から第２の開位置（図２の２００）に可動接点１１５を移動させることにより回路を開くように配置されるだろう。
【００５０】
プランジャ１８５が一方向に力を提供するだけでよいように、付勢ばね１９８が、レバー１７５を付勢するために、必要に応じて配置されるだろう。
【００５１】
図２は、図１と同様に始動機構１４０が始動されていないが、可動接点アーム１２０が第２の開位置２００にある状態における実施例の回路遮断器１００を図解している。
【００５２】
図３は、始動機構１４０が始動される状態における実施例の回路遮断器１００を図解している。ここでは、可動接点１１５が開位置３００にて保持されるように、可動接点レバー１２０が、連結１４５を経由して始動機構１４０を始動することにより、移動されている。始動状態における始動機構１４０によって、プランジャ１８５の位置にかかわらず、可動接点１１５は、固定接点１０５に対する閉状態に戻ることはできない。これは、アクチュエータソレノイド１８０を経由した遠隔システム用いて、故障後に回路遮断器を再係合することは不可能であることを意味する。
【００５３】
始動機構１４０が、図１および図２に示すように非始動状態にあるときは、接点１１５と１０５は、ソレノイド１８０を作動させることにより自在に開閉されるだろう。しかしながら、始動機構１４０が始動状態にあるときは、接点１１５と１０５は、ソレノイド１８０を作動させることでは、閉状態に戻すことはできない。これにより、回路遮断器１００の直下にある操作者が、危険な状態をもたらしてしまうであろう、遮断器を遠隔的にまたは自動的に再閉するためのいかなる試みを無効にできるようにして、安全性を増加させる利点を得ることができる。
【００５４】
同様に、延長位置にある間に、極性スイッチ１９４への電力が失われて、アクチュエーションソレノイド１８０の作動を防止しているならば、始動機構１４０またはハンドル１６０を用いて接点１１５と１０５の開くこと、および、ハンドル１６０用いて接点１１５と１０５を閉じることを可能に保持している。しかしながら、後退位置にある間に、極性スイッチ１９４への電力が失われて、アクチュエーションソレノイド１８０の作動を防止しているならば、ハンドル１６０を用いて接点を再閉することはできない。これにより、危険な状態をもたらすであろう、ハンドル１６０を操作することで、遮断器を再閉するためのいかなる試みを防ぐことにより、安全を増加させる利点を得ることができる。いくつかの応用において、極性スイッチ１９４への電力を要求することなくして、追加の機構（図示せず）が、アクチュエーションソレノイド１８０のプランジャ１８５を延長位置に移動させることを可能にするために組み入れられるだろう。
【００５５】
図４は、本発明の実施形態による可能な回路遮断器位置の様々な組み合わせを図解しているテーブルである。
【００５６】
回路遮断器機構１４０とレバー１７５の双方がオン位置（状態Ａ）にあるとき、可動接点アームは閉位置にあり、電流は回路遮断器１００を介して流れることができる。
【００５７】
状態Ａから、もし、回路遮断器機構１４０がトグルされると、例えば、手動で、または、過電流状態を経由して回路遮断器機構１４０を始動することにより、移動可能接点アーム１２０は第１の開位置３００に移動し、電流はもはや回路遮断器１００を介して流れることができない。
【００５８】
状態Ａから、もし、レバー１７５がトグルされると、例えば、アクチュエーションソレノイドを遠隔的に作動させることにより、移動可能接点アーム１２０は第２の開位置に移動し、電流はもはや回路遮断器１００を介して流れることができない。
【００５９】
回路遮断器機構１４０とレバー１７５の双方がオフ位置（状態Ｂ）にあるとき、接点アームは第１の開位置３００にあり、電流は回路遮断器１００を介して流れることができない。
【００６０】
状態Ｂから、もし、回路遮断器機構１４０がトグルされると、例えば、回路遮断器機構をリセットすることにより、可動接点アーム１２０は第２の開位置に移動し、電流はまだ回路遮断器１００を介して流れることができない。これにより、例えば、安全上の問題が遠隔操作者に知られている際に、現場操作者が遮断器をスイッチオンしようと試みたとしても、遠隔操作者が、電流が流れることを防ぐことを可能にする利点を得ることができる。
【００６１】
状態Ｂから、もし、レバー１７５がトグルされると、例えば、アクチュエーションソレノイドを遠隔的に作動させることにより、移動可能接点アーム１２０は第１の開位置３００に移動し、電流はまだ回路遮断器１００を介して流れることができない。これにより、例えば、安全上の問題が現場操作者に知られている際に、遠隔操作者が回路遮断器をスイッチオンしようと試みたとしても、現場操作者にとって、電流が流れることを防止することを可能にする利点を得ることができる。
【００６２】
回路遮断器機構１４０がオン位置にあり、レバー１７５がオフ位置にあるときは（状態Ｃ）、可動接点アームは第２の開位置にあり、電流は回路遮断器１００を介して流れることができない。
【００６３】
状態Ｃから、もし、回路遮断器機構１４０がトグルされると、例えば、手動で、または、過電流状態を経由して回路遮断器機構１４０を始動することにより、移動可能接点アーム１２０は第１の開位置３００に移動し、電流はまだ回路遮断器１００を介して流れることができない。
【００６４】
状態Ｃから、もし、レバー１７５がトグルされると、例えば、アクチュエーションソレノイドを遠隔的に作動させることにより、可動接点アームは閉位置に移動し、電流は回路遮断器１００を介して流れることができる。
【００６５】
回路遮断器機構１４０がオフ位置にあり、レバー１７５がオン位置にあるときは（状態Ｄ）、可動接点レバー１７５は第１の開位置３００にあり、電流は回路遮断器１００を介して流れることができない。
【００６６】
状態Ｄから、もし、回路遮断器機構１４０がトグルされると、例えば、回路遮断器機構をリセットすることにより、可動接点レバー１７５は閉位置に移動し、電流は回路遮断器１００を介して流れることができる。
【００６７】
状態Ｄから、もし、レバー１７５がトグルされると、例えば、アクチュエーションソレノイドを遠隔的に作動させることにより、可動接点アームは第１の開位置３００に移動し、電流はまだ回路遮断器１００を介して流れることができない。
【００６８】
図５は、本発明の実施例によって可能な、異なる状態遷移を図解しており、図４のテーブルにおいて示されているような状態図である。電流が回路遮断器を介して流れることを可能にする唯一の状態が、状態Ａである。状態Ｄか状態Ｃのいずれかを最初に通過しないで、状態Ｂから状態Ａへ直接遷移することは不可能であることが、この状態図から明白である。従って、状態Ｂは回路遮断器１００の安全状態として考えられる。
【００６９】
状態Ｄから状態Ａへの遷移は、回路遮断器機構１４０により、例えば、機構をリセットできる現場操作者により制御される。遠隔操作者は、現場操作者によって制御される、状態Ｄに遭遇することによってのみ、状態Ｂから状態Ａへの遷移を開始できる。
【００７０】
同様に、状態Ｃから状態Ａへの遷移は、レバー操作者により、例えば、ソレノイド１８０を用いてレバー１７５を作動させる遠隔操作者により制御される。現場操作者は、遠隔操作者により制御される、状態Ｃに遭遇することによってのみ、状態Ｂから状態Ａへの遷移を開始できる。
【００７１】
このようにして、被保護回路にエネルギー供給する前に回路遮断器１００の操作者間の論理的合意を要求することにより、回路遮断器１００が、安全の付加層を提供するように構成され得る。
【００７２】
本発明は、部品、特徴などの特別な配置を参照して記述されてきたが、全ての可能な配置または特徴を論じ尽くすことは意図されておらず、実際に、多くの変形および変更が当業技術者によって確かめられるであろう。
【図面の簡単な説明】
【００７３】
【図１】図１は、本発明の態様による実施例の回路遮断器の側面図であり、閉位置を示している。
【図２】図２は、図１に示す実施例の回路遮断器の他の側面図であり、遠隔的な開位置を示している。
【図３】図３は、図１および図２に示す実施例の回路遮断器の他の側面図であり、始動位置を示している。
【図４】図４は、本発明の態様による図１〜図３に示す実施例の回路遮断器の構成要素の位置の様々な組み合わせを示しているテーブルである。
【図５】図５は、本発明の態様による図１〜図３に示す実施例の回路遮断器に対して可能な様々な状態遷移を示している状態図である。
【図１】
2014049448.tif 000003
【図２】
2014049448.tif 000004
【図３】
2014049448.tif 000005
【図４】
2014049448.tif 000006
【図５】
2014049448.tif 000007